(57)【特許請求の範囲】
【請求項１】
ＡＬＣパネルを使用した住宅用の外壁パネルを組み合わせることにより形成された目地と、該目地の奥部に形成された目地幅よりも幅の狭い目地幅を有する目地奥部とからなり、少なくとも二対のシールリップ部が側面部に形成され前記目地に嵌入されたガスケットシール材を固定する目地ガスケットの止め部材において、前記ガスケットシール材の隣接するシールリップ部の間にガスケットシール材の柱部を挾んで挿入される第１爪部と，前記目地奥部の目地幅よりも幅が広く薄板状で目地奥部に嵌入される、前記第１爪部の挿入方向に平行する第２爪部と，前記第１爪部及び第２爪部の挿入及び嵌入方向に対して略直角内側に折れ曲がって形成され、第１爪部及び第２爪部の挿入及び嵌入によって前記外壁パネルの端部に固定される平板と，からなることを特徴とする目地ガスケットの止め部材。
【請求項２】
ＡＬＣパネルを使用した住宅用の外壁パネルを組み合わせることにより形成された目地と、該目地の奥部に形成された目地幅よりも幅の狭い目地幅を有する目地奥部とからなり、そのうちの前記目地に嵌入されたガスケットシール材を固定する目地ガスケットの止め部材において、前記ガスケットシール材の端部から長手方向に形成された中空部に挿入される第１爪部と，前記目地奥部の目地幅よりも幅が広く薄板状で目地奥部に嵌入される、前記第１爪部の挿入方向に平行する第２爪部と，前記第１爪部及び第２爪部の挿入及び嵌入方向に対して略直角内側に折れ曲がって形成され、第１爪部及び第２爪部の挿入及び嵌入によって前記外壁パネルの端部に固定される平板と，からなることを特徴とする目地ガスケットの止め部材。
【発明の詳細な説明】
【０００１】
【発明の属する技術分野】
本発明は、特にＡＬＣパネル（軽量気泡コンクリートパネル）を使用した住宅用の外壁パネル間の目地空間に沿って嵌入されたガスケットシール材を固定して収縮及び脱落を防止する目地ガスケットの止め部材に関する。
【０００２】
【従来の技術】
図８に示すように、ＡＬＣパネル（軽量気泡コンクリートパネル）を使用した住宅用の外壁パネル１，１間の目地２にはガスケットシール材３が嵌入されている。ガスケットシール材３の両側面にはそれぞれ対になった目地幅よりも広い複数のシールリップ部３ａと３ｂ，３ｃと３ｄ，３ｅと３ｆが形成されていて、このシール材の嵌入でシールリップ部が湾曲し目地２の側面に弾接することにより雨水の住居への侵入を防止している。なお、目地２の奥部には更に目地２の目地幅Ｗよりも幅の狭い目地幅Ｓを有する目地奥部５が外壁パネル１，１の形状による組み合わせによって形成されている。
ガスケットシール材３の底部の所定間隔を離した位置には止め部材４が複数（図８ではそのうちの１つだけを示した）取り付けられている。
【０００３】
止め部材４は、図９に示すように、両側面が折り曲げ可能な板であり、嵌入時にガスケットシール材３の先端部、すなわちシールリップ部３ａと３ｂをその板にのせて中央部４ａを折り返して、かしめることによりガスケットシール材３に取り付けられるようになっている。
このような止め部材４を使用することによって、ガスケットシール材３は長期間にわたって収縮及び脱落の心配がなく外観を良好に保つことができる。
【０００４】
【発明が解決しようとする課題】
しかしながら、従来例に示す目地ガスケットの止め部材４はガスケットシール材３と目地２との間に位置して取り付けられるため、外部から視認することができない。このため、設計通りに納まっているか否か確認することができない。また、長期間経過後にも取り付けが強固であるか否か確認することもできないといった問題がある。
【０００５】
そこで本発明の目的は、上記課題を解消することにあり、取り付け状態を視認することができ、しかも長期にわたり収縮及び脱落の心配のない、ＡＬＣパネル用の目地ガスケットの止め部材を提供することにある。
【０００６】
【課題を解決するための手段】
上記の目的を達成するために、本発明の目地ガスケットの止め部材（１０）は、ＡＬＣパネルを使用した住宅用の外壁パネル（１，１）を組み合わせることにより形成された目地（２）と、目地（２）の奥部に形成された目地幅（Ｗ）よりも幅の狭い目地幅（Ｓ）を有する目地奥部（５）とからなり、少なくとも二対のシールリップ部（１５ａと１５ｂ，１５ｃと１５ｄ）が側面部に形成され目地（２）に嵌入されたガスケットシール材（１５）を固定する目地ガスケットの止め部材（１０）において、ガスケットシール材（１５）の隣接するシールリップ部（１５ａと１５ｂ，１５ｃと１５ｄ）の間にガスケットシール材（１５）の柱部（１５ｇ）を挾んで挿入される第１爪部（１１，１２）と，目地奥部（５）の目地幅（Ｓ）よりも幅が広く薄板状で目地奥部（５）に嵌入される、第１爪部（１１，１２）の挿入方向に平行する第２爪部（１３）と，第１爪部（１１，１２）及び第２爪部（１３）の挿入及び嵌入方向に対して略直角内側に折れ曲がって形成され、第１爪部（１１，１２）及び第２爪部（１３）の挿入及び嵌入によって外壁パネル（１，１）の端部に固定される平板（１４）と，からなるものである（請求項１）。
【０００７】
ここで、柱部を挾んで隣接するシールリップ部間に挿入される第１爪部は、相対向して平行なものに限定されず、例えば段違いに平行なものも含まれる。すなわち、柱部を挾んで左右に挿入位置の高さが異なる場合も含まれることを意味する。
【０００８】
また、本発明の目地ガスケットの止め部材（３０）は、ＡＬＣパネルを使用した住宅用の外壁パネル（１，１）を組み合わせることにより形成された目地（２）と、目地（２）の奥部に形成された目地幅（Ｗ）よりも幅の狭い目地幅（Ｓ）を有する目地奥部（５）とからなり、そのうちの目地（２）に嵌入されたガスケットシール材（３５）を固定する目地ガスケットの止め部材（３０）において、ガスケットシール材（３５）の端部から長手方向に形成された中空部（３６）に挿入される第１爪部（３１）と，目地奥部（５）の目地幅（Ｓ）よりも幅が広く薄板状で目地奥部（５）に嵌入される、第１爪部（３１）の挿入方向に平行する第２爪部（３２）と，第１爪部（３１）及び第２爪部（３２）の挿入及び嵌入方向に対して略直角内側に折れ曲がって形成され、第１爪部（３１）及び第２爪部（３２）の挿入及び嵌入によって外壁パネル（１，１）の端部に固定される平板（３３）と，からなるものである（請求項２）。
【０００９】
なお、括弧内の記号は図面に示し後述する発明の実施の形態の対応要素又は対応事項を示す。
【００１０】
請求項１に記載の目地ガスケットの止め部材によれば、第１爪部，第２爪部及び平板とからなり、第１爪部が少なくとも二対のシールリップ部が側面部に形成され、ＡＬＣパネルを使用した住宅用の外壁パネル間の目地に嵌入されたガスケットシール材の隣接するシールリップ部の間に柱部を挾んで挿入され、同時に第２爪部が目地奥部に嵌入されることにより、平板が外壁パネルの端部に強固に確実に固定されるので、取り付け時は常に外部に露出した状態である。したがって、長期にわたり収縮及び脱落の心配がなく、また止め部材によるガスケットシール材の取り付け状態を視認することができるので安心である。
【００１１】
また、請求項２に記載の目地ガスケットの止め部材によれば、請求項１と同様に第１爪部，第２爪部及び平板とからなり、第１爪部がＡＬＣパネルを使用した住宅用の外壁パネル間の目地に嵌入されたガスケットシール材の端部から長手方向に形成された中空部に挿入され、同時に第２爪部が目地奥部に嵌入されることにより、平板が外壁パネルの端部に強固に確実に固定されるので、取り付け時は常に外部に露出した状態である。したがって、長期にわたり収縮及び脱落の心配がなく、また止め部材によるガスケットシール材の取り付け状態を視認することができるので安心である。
【００１２】
【発明の実施の形態】
図面を参照して、本発明の実施形態に係る目地ガスケットの止め部材について説明する。なお、従来例で示した部分と同一の部分には同じ番号を記した。
図１は本実施形態に係る目地ガスケットの止め部材１０の展開図，図２はその先端の第１爪部１１，１２及び後端の第２爪部１３が折り曲げられた状態を示す斜視図，図３はその側面図，及び図４は止め部材１０の取り付けを示す斜視図である。
【００１３】
図１乃至図３に示すように、本発明の実施形態に係る目地ガスケットの止め部材１０は、Ａ，Ｂ線を中心にして折曲可能な先端側の二又の第１爪部１１，１２と、Ｃ線を中心にして中心にして折曲可能な後端側の第２爪部１３と、薄い平板１４からなり、止め部材１０を使用する場合には図２，図３に示すように略直角（Ｌ字状）に折り曲げた状態にされる。すなわち、平板１４は第１爪部１１，１２及び第２爪部１３の延びる方向（挿入及び嵌入方向）に対して略直角で取り付け時には内側に折れ曲がった状態に形成されている。
第１爪部１１，１２は細長い爪であり、二又の爪の幅Ｍは、それらが挿入される、後述するガスケットシール材１５の隣接する二対のシールリップ部１５ａと１５ｂ，１５ｃと１５ｄの間に柱部１５ｇを挾んで挿入できる程度になっている。また、第１爪部１１，１２の二又の間隔Ｌは、それらが挿入されるガスケットシール材１５の柱部１５ｇの幅と略同一に設定している。また、第２爪部１３は薄板状で横幅は、それが嵌入される、目地奥部５の目地幅Ｓよりも広くされている。また、平板１４は０．２ｍｍ〜０．５ｍｍ程度の薄板であり、その材質は錆に強いステンレスなどの金属板や樹脂成型品の板からなる。
【００１４】
次に、図４を参照して、以上のようにして構成される目地ガスケットの止め部材１０によって、ＡＬＣパネルを使用した住宅用の外壁パネル１，１を組み合わせることにより形成された目地２と、その目地２の奥部に形成された目地幅Ｗよりも幅の狭い目地幅Ｓを有する目地奥部５のうち、目地２に嵌入されたガスケットシール材１５を固定する様子を示す。なお、ガスケットシール材１５の両側面にはそれぞれ対になった目地幅Ｗよりも広い複数のシールリップ部１５ａと１５ｂ，１５ｃと１５ｄ，１５ｅと１５ｆと、複数のシールリップ部を固定する柱部１５ｇが形成されていて、このシール材の嵌入でシールリップ部が湾曲し目地２の側面に弾接することにより雨水の住居への侵入を防止している。
すなわち、目地２に嵌入された後のガスケットシール材１５の固定は、図４に示すように、外壁パネル１の端部側から止め部材１０を、その平板１４を外壁パネル１に平行にした状態で進入させ、第１爪部１１，１２をガスケットシール材１５の隣接する二対のシールリップ部１５ａと１５ｂ，１５ｃと１５ｄの間に柱部１５ｇを挾んで挿入させると同時に第２爪部１３を目地奥部５に嵌入させる。そして、平板１４を押し込み、平板１４を外壁パネル１の端部に固定するものである。なお、ＡＬＣパネルは比較的もろく、また第２爪部１３は薄板状であるので第２爪部１３の横幅が目地奥部５の幅Ｓより広くても、僅かな力を加えるだけで、例えば指で押すだけでも第２爪部１３をＡＬＣパネル中に埋設させることができる。
【００１５】
なお、図４にはガスケットシール材１５の一方の端部の固定を示したが、他方も同様な止め部材１０によって、すなわち、ガスケットシール材１５は２つの止め部材１０によって両端がそれぞれ確実にかつ強固に固定されている。なお、ガスケットシール材１５は底目地タイプのガスケットであるが、図５に示すような、かぶせ目地タイプのガスケット２５であっても固定は同様に強固に行える。
また、相対向して平行な第１爪部１１，１２にかえて、段違いに平行な第１爪部２１，２２を設けた止め部材２０によって、ガスケットシール材１５を固定するようにしてもよい。すなわち、図６に示すように第１爪部２１を隣接する上段のシールリップ部１５ｄ，１５ｆの間に、第１爪部２２を隣接する下段のシールリップ部１５ａ，１５ｃの間に、柱部１５ｇを挾むようにしてそれぞれ挿入し固定するようにしてもよい。
このように止め部材１０，２０は、外側に露出しているためいつでも視認することができるので、取り付け状態のチェックが簡単に行える。
【００１６】
図７は、本発明のもう一つ別の実施形態に係る目地ガスケットの止め部材３０の取り付けを示す斜視図である。この止め部材３０は、止め部材１０と同様にＡＬＣパネルを使用した住宅用の外壁パネル１，１間の目地２，目地奥部５のうち目地２に嵌入された、端部から長手方向に中空部３６が形成されたガスケットシール材３５を固定するものであり、第１爪部３１と、目地奥部５の目地幅Ｓよりも幅が広く薄板状で、かつ第１爪部３１の延びる方向（挿入方向）に平行する第２爪部３２と、第１爪部３１及び第２爪部３２の延びる方向（挿入及び嵌入方向）に対して略直角内側に折れ曲がって形成された０．２ｍｍ〜０．５ｍｍ程度の薄板の平板３３からなっている。
【００１７】
そして、ガスケットシール材３５を固定する場合には、図７に示すように、外壁パネル１の端部側から止め部材３０を、その平板３３を外壁パネル１に平行にした状態で進入させ、第１爪部３１をガスケットシール材３５の中空部３６に挿入させると同時に第２爪部３２を目地奥部５に嵌入させて、平板３３を押し込み外壁パネル１の端部に固定するものである。
止め部材１０と同様に止め部材３０も、外側に露出しているためいつでも視認することができるので、取り付け状態のチェックが簡単に行える。
【００１８】
【発明の効果】
以上のとおり、本発明の目地ガスケットの止め部材によれば、従来例と同様に長期にわたり収縮及び脱落の心配がないのに加え、取り付け時は常に外部に露出した状態であるので、止め部材によるガスケットシール材の取り付け状態を視認することができ安心である。
【図面の簡単な説明】
【図１】本発明の実施形態に係る目地ガスケットの止め部材１０の展開図である。
【図２】図１に示す止め部材１０の先端の第１爪部１１，１２及び後端の第２爪部１３が折り曲げられた状態を示す斜視図である。
【図３】図１に示す止め部材１０の先端の第１爪部１１，１２及び後端の第２爪部１３が折り曲げられた状態を示す側面図である。
【図４】図１に示す目地ガスケットの止め部材１０の取り付けを示す斜視図である。
【図５】図１に示す目地ガスケットの止め部材１０でかぶせ目地タイプのガスケットシール材２５を取り付けた状態を示す側面図である。
【図６】本発明の別の実施形態に係る目地ガスケットの止め部材２０の取り付けを示す斜視図である。
【図７】本発明のもう一つ別の実施形態に係る目地ガスケットの止め部材３０の取り付けを示す斜視図である。
【図８】従来例に示す目地ガスケットの止め部材４の取り付けを示す斜視図である。
【図９】図８に示す止め部材４にガスケットシール材３が取り付けられた様子を示す拡大断面図である。
【符号の説明】
１      外壁パネル
２      目地
３      ガスケットシール材
３ａと３ｂ，３ｃと３ｄ，３ｅと３ｆ    シールリップ部
４      止め部材
５      目地奥部
１０      止め部材
１１，１２    第１爪部
１３      第２爪部
１４      平板
１５      ガスケットシール材
１５ａと１５ｂ，１５ｃと１５ｄ，１５ｅと１５ｆ    シールリップ部
１５ｇ    柱部
２０      止め部材
２１，２２    第１爪部
２５      ガスケットシール材
２５ａと２５ｂ    シールリップ部
３０      止め部材
３１      第１爪部
３２      第２爪部
３３      平板
３５      ガスケットシール材
３５ａと３５ｂ，３５ｃと３５ｄ，３５ｅと３５ｆ    シールリップ部
３６      中空部
Ｌ      爪間隔
Ｍ      爪幅
【図１】
0003617891.tif 000002
【図２】
0003617891.tif 000003
【図３】
0003617891.tif 000004
【図４】
0003617891.tif 000005
【図５】
0003617891.tif 000006
【図６】
0003617891.tif 000007
【図７】
0003617891.tif 000008
【図８】
0003617891.tif 000009
【図９】
0003617891.tif 000010